(57)【要約】【課題】三次元装飾物を提供する。【解決手段】本発明の第１実施例に係る三次元装飾物は、レンチキュラーレンズと、レンチキュラーレンズの背面に配置される第１イメージ層と、レンチキュラーレンズの正面に配置される第１カバーと、第１カバーとレンチキュラーレンズとの間に第１空間層が形成されるように第１カバーをレンチキュラーレンズから離隔させる第１スペーサと、を含み、第１イメージ層のイメージがレンチキュラーレンズを介する両眼視差により第１空間層に立体的に形成されることを特徴とする。【選択図】図１
2016507770.tif 000002
【特許請求の範囲】
【請求項１】
レンチキュラーレンズと、
前記レンチキュラーレンズの背面に配置される第１イメージ層と、
前記レンチキュラーレンズの正面に配置される第１カバーと、
前記第１カバーと前記レンチキュラーレンズとの間に第１空間層が形成されるように、前記第１カバーを前記レンチキュラーレンズから離隔させる第１スペーサと、を含み、
前記第１イメージ層のイメージが、前記レンチキュラーレンズを介する両眼視差により、前記第１空間層に立体的に形成されることを特徴とする三次元装飾物。
【請求項２】
前記第１イメージ層のイメージが、前記第１空間層の正面に全部または一部突出するように形成されることを特徴とする請求項１に記載の三次元装飾物。
【請求項３】
前記第１イメージ層のイメージが、前記第１空間層の背面に全部または一部後退するように形成されることを特徴とする請求項１に記載の三次元装飾物。
【請求項４】
前記第１イメージ層の背面に配置される第２カバーと、
前記第２カバーと前記第１イメージ層との間に第２空間層が形成されるように、前記第２カバーを前記第１イメージ層から離隔させる第２スペーサとを、さらに含み、
前記第１イメージ層のイメージが前記第２空間層に形成されることを特徴とする請求項３に記載の三次元装飾物。
【請求項５】
前記レンチキュラーレンズ及び前記第１イメージ層は、端部に行くほど前記第１カバーとの離隔距離が減少する曲面に形成されることを特徴とする請求項１に記載の三次元装飾物。
【請求項６】
前記第１カバーに付着する第２イメージ層をさらに含む請求項１に記載の三次元装飾物。
【請求項７】
前記レンチキュラーレンズに付着する第２イメージ層をさらに含む請求項１に記載の三次元装飾物。
【請求項８】
前記第１空間層に配置される第２イメージ層をさらに含む請求項１に記載の三次元装飾物。
【請求項９】
前記第２イメージ層は、屈曲または曲率が形成されることを特徴とする請求項５から請求項７のいずれか１項に記載の三次元装飾物。
【請求項１０】
前記第２イメージ層は、立体形状体に形成されることを特徴とする請求項５から請求項７のいずれか１項に記載の三次元装飾物。
【請求項１１】
前記レンチキュラーレンズ及び前記第１イメージ層は、互いに異なる形状を有し、互いに離隔した複数の領域に区画されることを特徴とする請求項１に記載の三次元装飾物。
【発明の詳細な説明】
【技術分野】
【０００１】
本発明は、三次元装飾物に関する。
【背景技術】
【０００２】
ガラス、クリスタルガラス、アクリルなどの透明な素材は、装飾用途として広く活用されている。例えば、透明な素材の表面にテキストを記載したり、彫り込んだりして記念盾などの用途に活用されており、また透明な素材の裏面にイメージ（写真や絵）を印刷したり、透明な素材の内部に特定のイメージが含まれるように製作したりして、額縁代わりにまたはキーホルダなどに活用されている。以外にも透明な素材自体の審美感を活用した様々な装飾物を周りから見ることは、それほど難しいことではない。
【０００３】
しかし、このような透明な素材を用いた装飾物の場合は、テキスト、写真及び絵が単に平面的なイメージとして素材の外部の表面に実現されたことに過ぎないという限界があった。また、透明な素材の内部にイメージを含ませるためには別途の工程が必要となり、既に製作された装飾物の場合は、内部のイメージを変更することが困難であるという問題点もあった。
【０００４】
また、従来透明な素材を用いた立体装飾物の場合は、クリスタルガラスなどの透明体を用いるので、製品の重量が増加し、製作費用も増加するという問題点があった。
【先行技術文献】
【特許文献】
【０００５】
【特許文献１】大韓民国公開特許公報第１０−２００８−００９９０９１号
【発明の概要】
【発明が解決しようとする課題】
【０００６】
本発明は、簡単な構造で、より多様な立体イメージを実現することができ、製作及び使用がより容易である三次元装飾物を提供することを目的とする。
【課題を解決するための手段】
【０００７】
本発明の一側面によれば、レンチキュラーレンズと、レンチキュラーレンズの背面に配置される第１イメージ層と、レンチキュラーレンズの正面に配置される第１カバーと、第１カバーとレンチキュラーレンズとの間に第１空間層が形成されるように、第１カバーをレンチキュラーレンズから離隔させる第１スペーサと、を含み、第１イメージ層のイメージが、レンチキュラーレンズを介する両眼視差により、第１空間層に立体的に形成されることを特徴とする三次元装飾物が提供される。
【０００８】
ここで、三次元装飾物は、第１イメージ層のイメージが第１空間層の正面に全部または一部突出するように形成可能である。
【０００９】
三次元装飾物は、第１イメージ層のイメージが第１空間層の背面に全部または一部後退するように形成可能である。
【００１０】
三次元装飾物は、第１イメージ層の背面に配置される第２カバーと、第２カバーと第１イメージ層との間に第２空間層が形成されるように、第２カバーを第１イメージ層から離隔させる第２スペーサと、をさらに含み、第１イメージ層のイメージが第２空間層に形成されることが可能である。
【００１１】
レンチキュラーレンズ及び第１イメージ層は、端部に行くほど第１カバーとの離隔距離が減少する曲面に形成されてもよい。
【００１２】
三次元装飾物は、第１カバーに付着される第２イメージ層をさらに含むことができる。
【００１３】
三次元装飾物は、レンチキュラーレンズに付着される第２イメージ層をさらに含むことができる。
【００１４】
三次元装飾物は、第１空間層に配置される第２イメージ層をさらに含むことができる。
【００１５】
第２イメージ層は、屈曲または曲率が形成されてもよい。
【００１６】
第２イメージ層は、立体形状体であってもよい。
【００１７】
さらに、レンチキュラーレンズ及び第１イメージ層は、互いに異なる形状を有し、互いに離隔した複数の領域に区画されてもよい。
【図面の簡単な説明】
【００１８】
【図１】本発明の第１実施例に係る三次元装飾物を示す斜視図である。
【図２】本発明の第１実施例に係る三次元装飾物を示す分解斜視図である。
【図３】図１に示されたＡ−Ａの直線による断面図である。
【図４】本発明の第２実施例に係る三次元装飾物を示す図である。
【図５】本発明の第３実施例に係る三次元装飾物を示す図である。
【図６】本発明の第４実施例に係る三次元装飾物を示す図である。
【図７】本発明の第１実施例に係る三次元装飾物として実現されたカレンダーの一例を示す図である。
【発明を実施するための形態】
【００１９】
本発明は多様な変換を加えることができ、様々な実施例を有することができるため、特定実施例を図面に例示し、詳細に説明する。しかし、これは、本発明を特定の実施形態に限定するものではなく、本発明の思想及び技術範囲に含まれるあらゆる変換、均等物及び代替物を含むものとして理解されるべきである。
【００２０】
本発明を説明するに当たって、係わる公知技術に関する具体的な説明が本発明の要旨をかえって不明にすると判断される場合は、その詳細な説明を省略する。
【００２１】
「第１」、「第２」などのような用語は、多様な構成要素を説明するために用いられるに過ぎず、構成要素がそれらの用語により限定されるものではない。それらの用語は一つの構成要素を他の構成要素から区別する目的だけに用いられる。
【００２２】
本願で用いた用語は、ただ特定の実施例を説明するために用いたものであって、本発明を限定するものではない。単数の表現は、文の中で明らかに表現しない限り、複数の表現を含む。本願において、「含む」または「有する」などの用語は、明細書上に記載された特徴、数字、段階、動作、構成要素、部品またはこれらを組み合わせたものの存在を指定するものであって、一つまたはそれ以上の他の特徴や数字、段階、動作、構成要素、部品またはこれらを組み合わせたものの存在または付加可能性を予め排除するものではないと理解しなくてはならない。
【００２３】
以下、本発明に係る三次元装飾物を添付図面に基づいて詳細に説明し、添付図面に基づいて説明するに当たって、同一または対応する構成要素には同一の図面符号を付し、これに対する重複説明を省略する。
【００２４】
図１は、本発明の第１実施例に係る三次元装飾物を示す斜視図である。図２は、本発明の第１実施例に係る三次元装飾物を示す分解斜視図である。図３は、図１に示されたＡ−Ａの直線による断面図である。
【００２５】
図１ないし図３に示すように、本発明の第１実施例に係る三次元装飾物１０００は、レンチキュラーレンズ１００と、第１イメージ層２００と、第１カバー３００と、第１スペーサ４００と、を含み、第１イメージ層２００のイメージ２１０がレンチキュラーレンズ１００を介する両眼視差により第１空間層４１０に立体的に形成されることになり、第２イメージ層７００をさらに含むことができる。
【００２６】
レンチキュラーレンズ１００は、第１イメージ層２００の正面に配置されており、第１イメージ層２００のイメージ２１０を立体的に実現できるようにする。ここで、レンチキュラーレンズ１００は、棒状などの凸レンズを多数横に並べた形状のレンズであって、レンチキュラーレンズ１００の作用により、左右の両目に互いに異なる像が映り、イメージ２１０を立体的に感じるようにすることができる。
【００２７】
このように、レンチキュラーレンズ１００を介して立体感を感じるようになる最も重要な要因は、人間の目が横方向に約６５ｍｍ離れて存在するから現われる両眼視差によることである。
【００２８】
具体的に、左右の目が、それぞれレンチキュラーレンズ１００を通過した平面の画像を互いに異なる画像として認識し、これら２つの画像が網膜を通して脳に伝達され、脳がこれらを融合し、立体イメージ２１０の深み感や第１空間層４１０の特定位置に置かれたような位置感を再生することになる。
【００２９】
この場合、左右の目に得られた視野角の差が大きければ大きいほど、近くに位置したものに感じられ、これに対し、左右の目に得られた視野角の差が小さければ小さいほど、遠くに位置したものに感じられるようになる。したがって、このような原理を用いて、イメージ２１０が形成される位置（ｄの大きさ）を任意に調整することができる。
【００３０】
第１イメージ層２００は、レンチキュラーレンズ１００の背面に配置される写真、絵またはテキストなどの印刷物であって、立体的に実現しようとするイメージ２１０の平面画像を含むことができる。イメージ２１０は、第１イメージ層２００に含まれている平面画像がレンチキュラーレンズ１００を通過した後に立体的に見えるようになる形状のことであって、上述した両眼視差による錯視効果により実現される一種の虚像である。
【００３１】
この場合、第１イメージ層２００に含まれている平面画像は、左右の目に別に映る２つの画像をピクセル（ｐｉｘｅｌ）単位で交差するようにフォーマッティング（ｆｏｒｍａｔｔｉｎｇ）して一つの画像として形成する方法により製作可能であり、これにより、平面画像がレンチキュラーレンズ１００を通過した後に立体イメージ２１０として形成される位置（ｄの大きさ）を調整することができる。
【００３２】
ここで、本実施例に係る三次元装飾物１０００は、第１イメージ層２００のイメージ２１０が第１空間層４１０に形成されるように平面画像を製作し、第１空間層４１０に立体イメージ２１０が実現されるようにすることができる。
【００３３】
一方、第１イメージ層２００は、レンチキュラーレンズ１００の背面に配置され、第１イメージ層２００及びレンチキュラーレンズ１００を取り替えることにより、本実施例に係る三次元装飾物１０００として実現しようとするイメージ２１０を取り替えることができる。
【００３４】
また、クリスタルガラスなどのような透明体の内部に虚像ではなく、実際の立体イメージ２１０を挿入するなどの製作工程が不要であるので、本実施例に係る三次元装飾物１０００の製作が容易になり得る。
【００３５】
第１カバー３００は、レンチキュラーレンズ１００の正面に配置されて第１空間層４１０をカバーするものであって、本実施例に係る三次元装飾物１０００の正面の外観を形成することができる。また、第１カバー３００は、レンチキュラーレンズ１００、第１イメージ層２００及び第１空間層４１０をカバーする役割だけでなく、後述する第１空間層４１０とともにクリスタルガラスなどのような透明体の役割を行い、イメージ２１０がクリスタルガラスなどの透明体の内部に形成されたものと類似の視覚的効果を発揮することができる。
【００３６】
ここで、第１カバー３００としては、第１空間層４１０に形成されたイメージ２１０を肉眼で識別できる程度の透明度を有する素材であればいずれも使用できる。
【００３７】
第１スペーサ４００は、第１カバー３００とレンチキュラーレンズ１００との間に第１空間層４１０が形成されるように、第１カバー３００をレンチキュラーレンズ１００から離隔させるものであって、イメージ２１０が形成される位置と干渉しない範囲内で様々に配置することができる。
【００３８】
特に、図１ないし図３に示されたように、第１スペーサ４００を第１カバー３００の縁に沿って配置し、第１スペーサ４００が本実施例に係る三次元装飾物１０００の側面の外観を形成するとともに、額縁の枠のような視覚的効果を発揮して、本実施例に係る三次元装飾物１０００自体が一つの額縁となるように実現することができる。
【００３９】
例えば、第１スペーサ４００により額縁の枠の模様を様々に形成する方法としてＴＶモニターなどの模様にすると、まるで３Ｄ画面がつけられた３ＤＴＶを表現した三次元装飾物１０００のように視覚的に表現される効果を得ることができる。
【００４０】
ここで、第１空間層４１０は、第１カバー３００とレンチキュラーレンズ１００との間の空間を意味し、一定の幅（ｄ以上）を有するように形成されて、第１イメージ層２００のイメージ２１０が第１空間層４１０に形成されるようにできる。
【００４１】
この場合、第１空間層４１０は、一般の空気層であってもよく、必要によって真空層または散乱や反射効果のある物質が含まれた層など、様々に形成することができる。
【００４２】
このように、本実施例に係る三次元装飾物１０００は、第１イメージ層２００のイメージ２１０がレンチキュラーレンズ１００を介して第１空間層４１０に立体的に実現されるので、簡単な構造で、より多様な立体イメージを実現することができる。
【００４３】
特に、クリスタルガラスなどのような透明体を使用しなくても、第１空間層４１０及び第１カバー３００を用いて類似の視覚的効果を発揮できるので、製作費用を低減でき、重量を低減できるなど本実施例に係る三次元装飾物１０００の製作及び使用をより容易にすることができる。
【００４４】
第２イメージ層７００は、写真、絵またはテキストなどの印刷物を含み、本実施例に係る三次元装飾物１０００により実現される立体イメージ２１０とともに三次元の審美感を高めるためのものである。すなわち、家族写真などを第２イメージ層７００に含ませ、立体イメージ２１０を家族写真の周囲の環境として実現させるなど様々な方法により装飾的効果を実現することができる。
【００４５】
特に、第２イメージ層７００にユーザ自身の写真を用いると、相対的に低費用で個人向けの三次元装飾物１０００を製作して使用することができる。
【００４６】
例えば、第２イメージ層７００が第１カバー３００に付着され、第２イメージ層７００を相対的にユーザに近く位置するようにすることで、イメージ２１０を背景にした第２イメージ層７００が相対的に目立って見えるようになる効果を実現することができる。
【００４７】
また、第２イメージ層７００がレンチキュラーレンズ１００に付着され、第２イメージ層７００を相対的にユーザに遠く位置するようにすることで、第２イメージ層７００が虚像の立体イメージ２１０よりも後ろに置かれているように感じられ、イメージ２１０が相対的に目立って見えるようになる効果を実現することができる。
【００４８】
このような効果の重要な原理は、第２イメージ層７００が実際のイメージ（実像）であるため、第１空間層４１０内のどこに置かれているのかを正確に認知することができる。したがって、第２イメージ層７００が第１空間層４００内での基準座標の役割を行い、空間に浮かんでいる虚像である立体イメージ２１０が第１空間層４１０内のどこにあるのかがよりよく認知されて、目立って見えるようになる。
【００４９】
類似の方法として、第２イメージ層７００を第１空間層４１０の中間に配置し、虚像であるイメージ２１０とともに交じり合って第２イメージ層７００が立体的に同化される効果を実現できるなど、立体効果をより増加させることができ、必要によって様々に変更することができる。
【００５０】
ここで、第２イメージ層７００は、屈曲または曲率が形成されて立体的効果をさらに倍加することができる。すなわち、第２イメージ層７００自体を遠近感が感じられるように屈曲部または曲率部を形成して、イメージ２１０とともに視覚的な立体効果をさらに増加させることができる。
【００５１】
また、第２イメージ層７００は、それ自体が三次元の形状を有する立体形状体であってもよい。例えば、第２イメージ層７００として人形などの立体形状体を形成し、イメージ２１０により立体形状体を目立たせる視覚的効果を実現して、視覚的な立体効果をさらに増加させることができる。
【００５２】
また、第２イメージ層７００にもレンチキュラーレンズ１００を配置し、第１イメージ層２００のイメージ２１０とは別の立体イメージが実現されるようにすることもできる。特に、一つのレンチキュラーレンズ１００が実現できる立体イメージ２１０の位置（ｄ）は、距離上の制約があり得るので、複数の段階的なイメージ層のそれぞれにレンチキュラーレンズ１００を配置して、上記のような位置（ｄ）上の制約を克服することができる。
【００５３】
図７は、本発明の第１実施例に係る三次元装飾物として実現されたカレンダーの一例を示す図である。
【００５４】
本実施例に係る三次元装飾物１０００においては、レンチキュラーレンズ１００及び第１イメージ層２００が互いに異なる形態を有し、互いに分離された複数の領域に区画され得る。ここで、互いに異なる形態とは、形状、模様または色彩のうちの少なくとも１種が異なっていることを意味する。
【００５５】
図７を参照して、本実施例に係る三次元装飾物１０００におけるレンチキュラーレンズ１００及び第１イメージ層２００が複数の領域に区画されている一例を説明すると、次の通りである。
【００５６】
図７に示すように、レンチキュラーレンズ１００及び第１イメージ層２００を互いに分離された複数の領域に区画し、各領域に異なる色彩や絵を表現してカレンダーのような装飾物を実現することができる。この場合、レンチキュラーレンズ１００のフォーマッティングも様々に構成して特定の色彩や絵を目立たせるようにするなど視覚的に、より多様な効果を発揮するカレンダー装飾物を実現することができる。
【００５７】
例えば、図７に示すように、第２イメージ層７００として透明なフィルムに格子構造を印刷し、各格子領域に数字を表現して第１カバー３００に付着する方法により製作することができる。この場合、第２イメージ層７００を月毎に作成し、毎月取り替え可能にすれば、万年カレンダーとして使用できるなど多様に活用することができる。
【００５８】
一方、図７では、カレンダーの一例を示したが、必ずこれに限定されるものではなく、一つのイメージ層が複数の領域に区画され、意図する特定の視覚的効果を発揮できるように、必要によって多様に変更することができる。
【００５９】
図４は、本発明の第２実施例に係る三次元装飾物を示す図である。
【００６０】
図４に示すように、本発明の第２実施例に係る三次元装飾物２０００は、第１イメージ層２００のイメージ２１０が第１空間層４１０の正面に、全部または一部が突出するように形成されてより多様な立体イメージ２１０を実現することができる。
【００６１】
このような実施例は、上述したように、左右の目に得られた視野角の差を調整できるように第１イメージ層２００をピクセル単位にフォーマッティングすることにより実現することができる。
【００６２】
例えば、第１イメージ層２００に含まれた特定人物の部分を第１空間層４１０の正面に突出するように形成すれば、人物のイメージ２１０が第１イメージ層２００の他のイメージよりも目立つ効果を与えることができる。
【００６３】
本発明の第２実施例に係る三次元装飾物２０００は、上述した特徴を除き、本発明の第１実施例に係る三次元装飾物１０００の構成と同一または類似であるので、重複する構成についての詳細な説明を省略する。
【００６４】
図５は、本発明の第３実施例に係る三次元装飾物を示す図である。
【００６５】
図５に示すように、本発明の第３実施例に係る三次元装飾物３０００は、第１イメージ層２００のイメージ２１０が第１空間層４１０の背面に全部または一部後退するように形成されてより多様な立体イメージ２１０を実現することができる。
【００６６】
このような実施例は、上述したように、左右の目に得られた視野角の差を調整することにより実現することができる。
【００６７】
例えば、第１イメージ層２００に含まれた背景部分を第１空間層４１０の背面に後退するように形成すれば、背景のイメージ２１０よりも第１イメージ層２００の前面部である第１空間層４１０に形成された他のイメージの部分がより目立つ効果を与えることができる。
【００６８】
ここで、本実施例に係る三次元装飾物３０００は、第２カバー５００及び第２スペーサ６００をさらに含み、第１イメージ層２００のイメージ２１０が第２空間層６１０に形成されることができる。
【００６９】
この場合、第１イメージ層２００のイメージ２１０を第２空間層６１０の背面に全部または一部が突出するように形成して、より深みのある立体イメージを実現することができる。
【００７０】
第２カバー５００は、第１イメージ層２００の背面に配置されて第２空間層６１０をカバーするものであって、本実施例に係る三次元装飾物３０００の背面の外観を形成することができる。
【００７１】
また、第２カバー５００は、レンチキュラーレンズ１００、第１イメージ層２００、及び第２空間層６１０をカバーする役割だけでなく、後述する第２空間層６１０とともにクリスタルガラスなどのような透明体の役割を行い、イメージ２１０がクリスタルガラスなどの透明体の内部に形成されたものと類似の視覚的効果を発揮することができる。
【００７２】
ここで、第２カバー５００としては、第２空間層６１０に形成されたイメージ２１０を肉眼で識別できる程度の透明度を有する素材であれば何でも用いることができる。
【００７３】
第２スペーサ６００は、第２カバー５００と第１イメージ層２００との間に第２空間層６１０を形成するために、第２カバー５００を第１イメージ層２００から離隔させるものであって、イメージ２１０が形成される位置と干渉しない範囲内で多様に配置可能であり、必要によって省略したり、他の構成に代替したりすることも可能である。
【００７４】
特に、図５に示すように、第２スペーサ６００を第２カバー５００の縁に沿って配置し、第２スペーサ６００が本実施例に係る三次元装飾物３０００の側面の外観を形成すると同時に、第２カバー５００が額縁の裏面のような視覚的効果を発揮して、本実施例に係る三次元装飾物３０００自体が一つの額縁となるように実現することができる。
【００７５】
例えば、第２スペーサ６００の模様も多様に形成し、例えばＴＶモニターなどの模様にすると、まるで３Ｄ画面がつけられた３ＤＴＶを表現した三次元装飾物３０００のように視覚的に表現される効果を得ることができる。
【００７６】
一方、本実施例に係る三次元装飾物３０００は、レンチキュラーレンズ１００及び第１イメージ層２００を反対にした形状を追加に設けることができる。これにより、三次元装飾物３０００を回すと新しい立体イメージを実現する効果を発揮することができる。
【００７７】
ここで、第２空間層６１０は、第２カバー５００と第１イメージ層２００との間の空間を意味し、一定の幅（ｄ以上）を有するように形成されて、第１イメージ層２００のイメージ２１０が第２空間層６１０に形成されるようにすることができる。
【００７８】
この場合、第２空間層６１０は、一般的な空気層として形成することができ、必要によって真空層または散乱ないし反射効果のある物質が含まれた層に形成するなど多様に変更することができる。
【００７９】
本発明の第３実施例に係る三次元装飾物３０００は、上述した特徴を除き、本発明の第１及び第２実施例に係る三次元装飾物１０００、２０００の構成と同一または類似であるので、重複する構成についての詳細な説明を省略する。
【００８０】
図６は、本発明の第４実施例に係る三次元装飾物を示す図である。
【００８１】
図６に示すように、本発明の第４実施例に係る三次元装飾物４０００において、レンチキュラーレンズ１００及び第１イメージ層２００は、端部に行くほど第１カバー３００との離隔距離が減少する曲面に形成することができる。
【００８２】
例えば、レンチキュラーレンズ１００及び第１イメージ層２００の幅がかなり長い場合、または広さがかなり広い場合は、ユーザが特定位置からイメージ２１０を見るとき、第１イメージ層２００の端部の方に行くほど焦点位置（ｆ）及び方向が異なり、そのためイメージが立体的に形成される効果が不明になることがある。
【００８３】
したがって、本実施例に係る三次元装飾物４０００は、レンチキュラーレンズ１００及び第１イメージ層２００を、端部に行くほど第１カバー３００との離隔距離が減少する曲面に形成することにより、焦点位置（ｆ）にいるユーザが位置を移動することなく、立体的に形成されるイメージ２１０をより明確に感じることができる。
【００８４】
本発明の第４実施例に係る三次元装飾物４０００は、上述した特徴を除き、本発明の第１ないし第３実施例に係る三次元装飾物１０００、２０００、３０００の構成と同一または類似であるので、重複する構成についての詳細な説明を省略する。
【００８５】
以上、本発明の一実施例について説明したが、当該技術分野で通常の知識を有する者であれば特許請求範囲に記載した本発明の思想から逸脱しない範囲内で、構成要素の付加、変更、削除または追加などにより本発明を多様に修正及び変更することができ、これも本発明の権利範囲内に含まれるものといえよう。
【産業上の利用可能性】
【００８６】
本発明の実施例によれば、第１イメージ層のイメージがレンチキュラーレンズを介して第１空間層に立体的に実現されるので、簡単な構造で、より多様な立体イメージを実現することができ、三次元装飾物の製作及び使用をより容易にすることができ。
【符号の説明】
【００８７】
１００      レンチキュラーレンズ
２００      第１イメージ層
２１０      イメージ
３００      第１カバー
４００      第１スペーサ
４１０      第１空間層
５００      第２カバー
６００      第２スペーサ
６１０      第２空間層
７００      第２イメージ層
１０００、２０００、３０００、４０００    三次元装飾物
【図１】
2016507770.tif 000003
【図２】
2016507770.tif 000004
【図３】
2016507770.tif 000005
【図４】
2016507770.tif 000006
【図５】
2016507770.tif 000007
【図６】
2016507770.tif 000008
【図７】
2016507770.tif 000009
【国際調査報告】
2016507770.tif 000010
2016507770.tif 000011
2016507770.tif 000012
2016507770.tif 000013